(57)【要約】【課題】運搬に便利で保管方法により作成に支障を来たす虞のない、また、組み立てが簡単でありながら正確なバッターボックスの作成ができる用具を提供しようとするものである。【解決手段】バッターボックス作成用フレームを形成するための複数のフレーム部材からなるセットにおいて、ホームベースとバッターボックスとの位置関係を測定するための位置関係測定用ピースを、フレーム部材に固着した形でセットにする。また、位置関係測定用ピースを着脱自在な形でセットにし、該位置関係測定用ピースのセットポイントをフレーム部材に表示する。【選択図】    図１
2004249046.tif 000002
【特許請求の範囲】
【請求項１】
バッターボックス作成用フレーム（１）を形成するための複数のフレーム部材（２）からなるセットであって、ホームベース（３）とバッターボックス（４）との位置関係を測定するための位置関係測定用ピース（５）を、フレーム部材（２）に固着した形でセットにしたことを特徴とするバッターボックス作成用フレームセット。
【請求項２】
位置関係測定用ピース（５）が着脱自在な形でセットにされたものであって、該位置関係測定用ピース（５）のセットポイント（６）がフレーム部材（２）に表示された請求項１記載のバッターボックス作成用フレームセット。
【請求項３】
フレーム部材（２）に、ダイヤモンドのライン（７）との交叉点（８）が表示された請求項１又は２記載のバッターボックス作成用フレームセット。
【請求項４】
フレーム部材（２）に、キャッチャーボックス（９）との接点（１０）が表示された請求項１〜３記載のバッターボックス作成用フレームセット。
【発明の詳細な説明】
【０００１】
【発明の属する技術分野】
本発明は、野球やソフトボールに使用される競技場区画線のうちのバッターボックスを作成するためのフレームセットに関するものである。
【０００２】
【従来の技術】
バッターボックスを作成するための先行技術としては、本願出願人の発明になる、シートを用いて作成するものがある（例えば、特許文献１参照）。
【０００３】
【特許文献１】
特開２００２−２４８１９３号公報（請求項１〜４、第１図〜第４図）
【０００４】
【発明が解決しようとする課題】
野球やソフトボールで使用するバッターボックスを新たに作成する場合、ホームベースとの位置関係や大きさを正確に測定することが案外難しく、また面倒でもあり、公式ルールに則った試合を望むコーチ陣の間では、規格どおりのバッターボックスを簡単に作成できる器具の開発が望まれていた。
本願出願者が先に提案したバッターボックス作成用シートには、嵩張って運搬に不便であること、また、嵩低くくするために巻いて保管した場合、巻き癖がついてバッターボックス作成に支障を来たす、などの欠点があり改善が要望されていた。
こうした事情に鑑み、運搬に便利で保管方法により作成に支障を来たす虞のない、また、組み立てが簡単でありながら正確なバッターボックスの作成ができる用具を提供しようとするものである。
【０００５】
【課題を解決するための手段】
上記目的を達成するため、バッターボックス作成用フレームを形成するための複数のフレーム部材からなるセットにおいて、ホームベースとバッターボックスとの位置関係を測定するための位置関係測定用ピースを、フレーム部材に固着した形でセットにする。
【０００６】
また、上記パイプセットにおいて、位置関係測定用ピースを着脱自在な形でセットにし、該位置関係測定用ピースのセットポイントをフレーム部材に表示する。
【０００７】
また、上記各パイプセットにおいて、フレーム部材にダイヤモンドのラインとの交叉点を表示する。
【０００８】
また、上記各パイプセットにおいて、フレーム部材にキャッチャーボックスとの接点を表示する。
【０００９】
【発明の実施の形態】
本発明によるバッターボックス作成用フレームは、フレームに沿って、公式ルールに定められた所定の幅をもった区画線を描くことにより、その描かれた区画線が公式ルールに定められた所定の大きさのバッターボックとなるよう形成される。
また、そのバッターボックス作成用フレームは、複数のフレーム部材によって形成される。
フレーム部材とは、バッターボックス作成用フレームを形成するための部材であり、例えば、各部材の端部どうしが着脱自在に嵌合できるパイプ状に形成され、或いは、各部材の端部どうしが折り畳み可能な折尺状に形成される。
複数のフレーム部材を用いてバッターボックス作成用フレームを形成することにより、バッターボックス作成用フレームは各部材単位に分解し、或いは、各部材単位に折り畳むことが可能となる。
位置関係測定用ピースは、ホームベースとバッターボックスとの前後左右の位置関係を、他の計測器を用いることなく公式ルールに定められた位置に設定できるよう設けられる部材である。
なお、ホームベースとバッターボックスとの間隔、つまり前後の位置関係や、バッターボックスの先端部をホームベースの先端部よりどれ位ピッチャー側に寄せるのか、つまり左右の位置関係、等についても、バッターボックスの大きさと同様、野球とソフトボール、一般用と少年用などで異なり、それぞれルール所定の位置関係を測定できる位置関係測定用ピースが用いられる。
この位置関係測定用ピースは、フレーム部材に固着した形でセットにする形態と、フレーム部材に着脱自在な形でセットにする形態とがある。
フレーム部材に固着した形でセットにする形態には、フレーム部材の定位置に固着された位置関係測定用ピースが回転や反転する形態などが含まれる。
請求項２のように、位置関係測定用ピースを、フレーム部材に着脱自在な形でセットにする形態をとる場合、フレーム部材のセットポイントの形状に合致する装着部を設けることが測定誤差をなくす上から望ましい。例えば、フレーム部材がパイプである場合、装着部の形状は∩形にすることが望ましい。
また、位置関係測定用ピースを、フレーム部材に着脱自在な形でセットにする形態をとる場合、ホームベースとの間隔は他の計測器を用いずにできるが、ホームベースとの左右の位置関係を確定することができなくなる。そこで、位置関係測定用ピースをフレーム部材のどの位置にセットするのか、そのセットポイントを表示する必要が生じてくる。その必要性に応えるため、請求項２では、位置関係測定用ピースのセットポイントをフレーム部材に表示する形態をとっている。
なお、位置関係測定用ピースの先端部を合わせる位置は、予め設定されるものであって、例えば、ホームベースの先端部（ピッチャー側の端部で尖っていない側）などの見分けやすい位置が設定される。
フレーム部材に表示された所定の位置（セットポイント）にホームベースとの位置関係測定用ピースの装着部をセットし、その位置関係測定用ピースの先端部を予め設定された位置に合わせることにより、バッターボックスとホームベースとの前後左右の位置関係を確定することができる。
また、請求項３では、公式ルールに則ってバッターボックスを作成した場合の、バッターボックスとダイヤモンドのラインとの交叉点を、フレーム部材に表示する形態をとる。
フレーム部材にダイヤモンドのラインとの交又点を表示することにより、バッターボックス作成用フレームの設置位置をより容易に確定することができる。
セットポイントや交叉点の表示方法としては、フレーム部材の表面に印刷や焼付けなどにより表示する方法、フレーム部材に凹凸や穴などを形成して表示する方法、フレーム部材表面に適宜部材を貼り付けて表示する方法などがある。
なお、バッターボックスの作成は、当然のことながらホームベースの左右に作成されるものであって、バッターボックス作成用フレームを左右に並行移動させて使用するタイプと、バッターボックス作成用フレームを移動させる際に裏返して使用するタイプとによって、交叉点の表示形態が異なる。
バッターボックス作成用フレームを左右に移動して使用するタイプでは、左側のバッターボックス作成用の交叉点と右側のバッターボックス作成用の交叉点とを、それぞれ区別できるよう色彩や形状、形状の傾斜角度などを変えて表示する必要がある。
また、バッターボックス作成用フレームを裏返して使用するタイプでは、フレーム部材の表裏いずれからも交叉点が確認できるよう表示する必要がある。
勿論、バッターボックス作成用フレームを、左右に移動しても裏返しても、バッターボックスの作成ができるよう表示することも容易である。
また、請求項４では、バッターボックス作成用フレームに、キャッチャーボックスの外周線との接点を表示する形態をとっている。こうすることにより、その表示されたポイントを基点としてキャッチャーボックスを作成することが可能となるものである。
なお、フレーム部材の素材や形状は限定されるものではなく、軽くて持ち運びに便利な、アルミやスチール、合成樹脂などのパイプや平棒などが好適に用いられる。
【００１０】
【実施例】
発明の実施例を図面に基づいて説明する。
図１は、位置関係測定用ピースが固着されたバッターボックス作成用フレームを、ホームベースの左側に置いた状態を示す平面図である。
バッターボックス作成用フレーム１を形成するためのフレーム部材２は、４本のアルミ直管と４本のエルボ付アルミ管で形成され、バッターボックス４の区画線Ｃをバッターボックス作成用フレーム１の外側に引くよう設計されている。
また、位置関係測定用ピース５は、フレーム部材２に回動自在に固着されている。
また、図１では、請求項３の実施形態を取り入れ、フレーム部材２にダイヤモンドのライン７との交叉点８が、左右に移動させて使用するタイプに適応するよう表示されている。即ち、左側のバッターボックス作成用の交叉点（８ａ）と右側のバッターボックス作成用の交叉点（８ｂ）が、ラインとの交差角度に合うよう、その傾斜角度を変えてそれぞれ表示している。
さらに、図１では請求項４の実施形態を取り入れ、フレーム部材２には、キャッチャーボックス９との接点１０が表示されている。
この実施例によるバッターボックス作成用フレームセットを用いてバッターボックスを作成する場合、先ず、パイプの各端部を繋いで図１のようにバッターボックス作成用フレーム１を形成する。
次に、組み立てられたバッターボックス作成用フレーム１をホームベースの横におき、位置関係測定用ピース５の先端部を指定された位置関係測定部位、例えば、ホームベースの先端部Ｂ（図１では測定部位をホームベースの先端部Ｂとして図示している）に合わせることにより、バッターボックス４とホームベース３との前後左右の位置関係が確定し、バッターボックス作成用フレーム１に沿ってルール所定の区画線を描くことによって、正確な位置に、正確な大きさのバッターボックス４の区画線Ｃを作成することができる。
また、フレーム部材２に表示された交又点８（左側のバッターボックスを作成する場合は交叉点８ａ）をダイヤモンドのライン７と重なるようにすることによって、作成用フレームのブレを修正することができる。
図２は、着脱自在な形でセットされた位置関係測定用ピースをバッターボックス作成用フレームの下方に置いた状態を示す斜視図である。
位置関係測定用ピース５は、バッターボックス作成用フレーム１のフレーム部材２としてのパイプに載せてセットできるよう、∩型の装着部Ａが設けられている。
また、バッターボックス作成用フレーム１のフレーム部材２としてのパイプには、位置関係測定用ピース５のセットポイント６がペイントされている。このセットポイント６に、位置関係測定用ピース５の装着部Ａをセットする。
【００１１】
【発明の効果】
本発明によるバッターボックス作成用フレームセットは以上説明したように構成されているので、ホームベースを基準にして正確な位置に、正確な大きさのバッターボックスを容易かつ迅速に作成することができる。
また、本発明によるバッターボックス作成用フレームセットは、分解又は折り畳みができるので、バッターボックス作成用シートのように嵩張らず収納に便利である。
また、バッターボックス作成用シートのように保管状態による変形などが生じないので、バッターボックス作成に支障が生じない。
また、請求項２のように、位置関係測定用ピースを着脱自在な形でセットにした場合、位置関係測定用ピースが出っ張らないので、作業中の測定用ピースによる怪我や収納時の測定用ピースによる袋の破損などを防止することができる。
また、請求項３のように、フレーム部材にダイヤモンドのラインとの交叉点を表示することにより、作成用フレームのブレを修正することができ、バッターボックスの作成パイプセットの設置位置をより正確に、より容易に設置することができる。
また、請求項４のように、フレーム部材にキャッチャーボックスとの接点を表示することにより、キャッチャーボックスを作成するための基点とすることができる。
【図面の簡単な説明】
【図１】バッターボックス作成用フレームをホームベースの左側にセットした状態を示す平面図である。
【図２】着脱できる位置関係測定用ピースをバッターボックス作成用フレームの横に並べた状態を示す斜視図である。
【符号の説明】
１  バッターボックス作成用フレーム
２  フレーム部材
３  ホームベース
４  バッターボックス
５  位置関係測定用ピース
６  セットポイント
７  ダイヤモンドのライン
８  ダイヤモンドのラインとの交叉点
８ａ  左側のバッターボックス作成用の交叉点
８ｂ  右側のバッターボックス作成用の交叉点
９  キャッチャーボックス
１０  キャッチャーボックスの外周線との接点
Ａ  装着部
Ｂ  ホームベースの先端部
Ｃ  バッターボックスの区画線
【図１】
2004249046.tif 000003
【図２】
2004249046.tif 000004